(57)【要約】【課題】水辺を保護する水辺保護構造が洪水や大波に晒された場合でも、水辺保護構造を構成する壁材や杭の水による流動が抑制されるようにして、その後の水辺保護構造の復旧がより容易に、かつ、短時間でできるようにする。【解決手段】水辺保護構造５が、水辺１の地盤６上に沿って屈曲しながら延びる長尺で可撓性の複数壁材７〜１４と、各壁材７〜１４の各部分を貫通し地盤６に打ち込まれて地盤６上に壁材７〜１４を固定する杭１６とを備える。平面視で、各壁材７〜１４により多数の空間域１７を区画形成し、各空間域１７にそれぞれ石群１８を充填可能にする。各壁材７〜１４のそれぞれ長手方向の各一端部２１を地盤６の標高がより高い位置に杭１６により固定し、各壁材７〜１４のそれぞれ他端部側を地盤６の標高の低い側に向けて屈曲させながら延ばして他の杭１６により固定する。【選択図】図１
2011038269.tif 000002
【特許請求の範囲】
【請求項１】
水辺の地盤上に沿って屈曲しながら延びる長尺で可撓性の複数壁材と、上記各壁材の各部分を貫通し地盤に打ち込まれてこの地盤上に上記壁材を固定する杭とを備え、平面視で、上記各壁材により多数の空間域を区画形成し、これら各空間域にそれぞれ石群を充填可能にした水辺保護構造において、
上記各壁材のそれぞれ長手方向の各一端部を上記地盤の標高がより高い位置に上記杭により固定し、上記各壁材のそれぞれ他端部側を上記地盤の標高の低い側に向けて屈曲させながら延ばして他の杭により固定したことを特徴とする水辺保護構造。
【請求項２】
上記各壁材を、それぞれ平行に延びる複数の横向き帯板材と縦向き帯板材とが互いに交差する格子構造とし、水平方向で互いに近接して対向する両壁材の各部分におけるそれぞれ横向き帯板材を互いに重ね合わせて上下で複数の重ね合わせ部を形成し、平面視で、これら重ね合わせ部同士が互いに離反するよう重ね合わせ部を屈曲させ、互いに離反したこれら重ね合わせ部の間に挿入した杭により、上記各壁材の上記各部分を地盤上に固定するようにしたことを特徴とする請求項１に記載の水辺保護構造。
【請求項３】
上記地盤上に沿って標高の高い側から低い側に延びてきた上記壁材における低位置部分と、この壁材における低位置部分の存在位置における地盤上から更に標高の低い側に延びる他の壁材における高位置部分とを互いに重ね合わせて結合具により結合したことを特徴とする請求項１に記載の水辺保護構造。
【請求項４】
請求項２についての水辺保護構造の施工方法であって、
まず、互いに離反した両重ね合わせ部の間にパイプ材を挿入して、上記各壁材とパイプ材とによる組立体を形成し、
次に、上記組立体を地盤上の所望位置に搬送して設置し、次に、上記各パイプ材の内孔を通して上記杭を地盤に打ち込み、次に、上記各パイプ材を上記両重ね合わせ部の間から抜き取るようにしたことを特徴とする水辺保護構造の施工方法。
【発明の詳細な説明】
【技術分野】
【０００１】
本発明は、河川など水辺での水の力による侵食を抑制するためや、水辺での自然環境の保護、育生のための水辺保護構造、およびその施工方法に関するものであり、具体的には、長尺で可撓性の壁材を用いて平面視で多数の空間域を水辺の地盤上に区画形成し、これら各空間域にそれぞれ栗石などの石群を充填可能にした水辺保護構造、およびその施工方法に関するものである。
【背景技術】
【０００２】
上記水辺保護構造には、従来、下記特許文献１に示されるものがある。この公報のものによれば、水辺保護構造は、水辺の地盤上に沿って屈曲しながら延びる長尺で可撓性の複数壁材と、上記各壁材の各部分を貫通し地盤に打ち込まれてこの地盤上に上記壁材を固定する杭とを備えている。そして、水辺の平面視で、上記各壁材により多数の空間域が区画形成され、これら各空間域にそれぞれ石群が充填可能とされている。
【０００３】
そして、上記水辺保護構造によれば、流水や波打ちなどの水の力により水辺が侵食されることが抑制されて、この水辺が保護される。また、この水辺の侵食抑制により、この水辺での植物の成長が維持され、また、この植物の下における小動物の生息も促進されて、水辺における自然環境の保護、育生が期待される。
【先行技術文献】
【特許文献】
【０００４】
【特許文献１】特開平１１−１００８４９号公報
【発明の概要】
【発明が解決しようとする課題】
【０００５】
ところで、天候が大雨や強風の際には、これにより生じる洪水や大波における水の力の侵食作用によって、上記水辺保護構造を構成する壁材や杭が水と共に流動することが考えられる。この場合、例えば、ある壁材の屈曲により地盤の標高が低い側に向かって凹む凹状部が形成されているとすると、この凹状部内に勢いよく流入する多量の水により、上記壁材に大きな外力が与えられ、この壁材は、この壁材に結合されている他の壁材を引きつれながら、全体的に流動するおそれを生じる。そして、このような水辺保護構造の全体的な流動が生じた場合には、この水辺保護構造の復旧に、多くの労力と時間とが要求される結果となる。
【課題を解決するための手段】
【０００６】
本発明は、上記のような事情に注目してなされたもので、本発明の目的は、水辺を保護する水辺保護構造が洪水や大波に晒された場合でも、この水辺保護構造を構成する壁材や杭の水による流動が抑制されるようにして、その後の水辺保護構造の復旧がより容易に、かつ、短時間でできるようにすることである。
【０００７】
請求項１の発明は、水辺１の地盤６上に沿って屈曲しながら延びる長尺で可撓性の複数壁材７〜１４と、上記各壁材７〜１４の各部分を貫通し地盤６に打ち込まれてこの地盤６上に上記壁材７〜１４を固定する杭１６とを備え、平面視で、上記各壁材７〜１４により多数の空間域１７を区画形成し、これら各空間域１７にそれぞれ石群１８を充填可能にした水辺保護構造において、
上記各壁材７〜１４のそれぞれ長手方向の各一端部２１を上記地盤６の標高がより高い位置に上記杭１６により固定し、上記各壁材７〜１４のそれぞれ他端部側を上記地盤６の標高の低い側に向けて屈曲させながら延ばして他の杭１６により固定したことを特徴とする水辺保護構造である。
【０００８】
請求項２の発明は、上記各壁材７〜１４を、それぞれ平行に延びる複数の横向き帯板材２４と縦向き帯板材２５とが互いに交差する格子構造とし、水平方向で互いに近接して対向する両壁材９，１０の各部分におけるそれぞれ横向き帯板材２４，２４を互いに重ね合わせて上下で複数の重ね合わせ部２７，２７を形成し、平面視で、これら重ね合わせ部２７，２７同士が互いに離反するよう重ね合わせ部２７，２７を屈曲させ、互いに離反したこれら重ね合わせ部２７，２７の間に挿入した杭１６により、上記各壁材９，１０の上記各部分を地盤６上に固定するようにしたことを特徴とする請求項１に記載の水辺保護構造である。
【０００９】
請求項３の発明は、上記地盤６上に沿って標高の高い側から低い側に延びてきた上記壁材１０における低位置部分１０ａと、この壁材１０における低位置部分１０ａの存在位置における地盤６上から更に標高の低い側に延びる他の壁材９における高位置部分９ａとを互いに重ね合わせて結合具３０により結合したことを特徴とする請求項１に記載の水辺保護構造である。
【００１０】
請求項４の発明は、請求項２についての水辺保護構造の施工方法であって、
まず、互いに離反した両重ね合わせ部２７，２７の間にパイプ材３３を挿入して、上記各壁材７〜１４とパイプ材３３とによる組立体７〜１４，３３を形成し、
次に、上記組立体７〜１４，３３を地盤６上の所望位置に搬送して設置し、次に、上記各パイプ材３３の内孔を通して上記杭１６を地盤６に打ち込み、次に、上記各パイプ材３３を上記両重ね合わせ部２７，２７の間から抜き取るようにしたことを特徴とする水辺保護構造の施工方法である。
【００１１】
なお、この項において、上記各用語に付記した符号や図面番号は、本発明の技術的範囲を後述の「実施例」の項や図面の内容に限定解釈するものではない。
【発明の効果】
【００１２】
本発明による効果は、次の如くである。
【００１３】
請求項１の発明は、水辺の地盤上に沿って屈曲しながら延びる長尺で可撓性の複数壁材と、上記各壁材の各部分を貫通し地盤に打ち込まれてこの地盤上に上記壁材を固定する杭とを備え、平面視で、上記各壁材により多数の空間域を区画形成し、これら各空間域にそれぞれ石群を充填可能にした水辺保護構造において、
上記各壁材のそれぞれ長手方向の各一端部を上記地盤の標高がより高い位置に上記杭により固定し、上記各壁材のそれぞれ他端部側を上記地盤の標高の低い側に向けて屈曲させながら延ばして他の杭により固定している。
【００１４】
ここで、水辺を保護する水辺保護構造が洪水や大波に晒された場合、その水の力の侵食作用により、水辺保護構造を構成する壁材や杭が水と共に流動するおそれが生じる。そして、このような流動は、通常、標高の低い側の壁材や杭から始まるものである。
【００１５】
このため、上記発明によれば、各壁材の他端部側と、この他端部側を地盤の標高の低い側に固定している他の杭から上記流動が始まる傾向となるが、その一方、上記各壁材の各一端部と、これら各一端部を地盤の標高がより高い位置に固定している杭とは流動が抑制されることから、上記各壁材の他端部側は水に流される吹き流し状態とされたままに維持され、つまり、上記各壁材を含む水辺保護構造が全体的に流動することはより確実に抑制される。
【００１６】
よって、その後の水辺保護構造の復旧は、上記のように流動が抑制された各壁材の一端部側を基点とし、これら各壁材の他端部を地盤の標高の低い側に向けて順次屈曲させながら延ばして他の杭により地盤上に固定すればよく、つまり、水辺保護構造の復旧はより容易に、かつ、短時間ですることができる。
【００１７】
請求項２の発明は、上記各壁材を、それぞれ平行に延びる複数の横向き帯板材と縦向き帯板材とが互いに交差する格子構造とし、水平方向で互いに近接して対向する両壁材の各部分におけるそれぞれ横向き帯板材を互いに重ね合わせて上下で複数の重ね合わせ部を形成し、平面視で、これら重ね合わせ部同士が互いに離反するよう重ね合わせ部を屈曲させ、互いに離反したこれら重ね合わせ部の間に挿入した杭により、上記各壁材の上記各部分を地盤上に固定するようにしている。
【００１８】
ここで、上記各壁材が洪水等の水から外力を受けるときには、上記各杭が貫通している上記各壁材の各部分が上記各杭に圧接して上記外力に対抗し、これにより、上記各壁材が上記杭を介し地盤に支持される。
【００１９】
この場合、上記発明によれば、上記各杭が貫通している各壁材の各部分は複数の横向き帯板材を重ね合わせた重ね合わせ部であるため、上記外力に基づきこの重ね合わせ部に生じる応力は小さく抑制される。よって、地盤上への各壁材の固定強度が向上することから、前記洪水等による水辺保護構造の流動は、より確実に抑制される。
【００２０】
請求項３の発明は、上記地盤上に沿って標高の高い側から低い側に延びてきた上記壁材における低位置部分と、この壁材における低位置部分の存在位置における地盤上から更に標高の低い側に延びる他の壁材における高位置部分とを互いに重ね合わせて結合具により結合している。
【００２１】
ここで、地盤上を標高の高い側から低い側に順次延びるよう配置される各壁材は、その側面視での傾斜角が不一致になりがちである。このため、この側面視で互いに隣り合う標高の高い側の壁材の低位置部分と標高の低い側の壁材の高位置部分とを全体的に重ね合わせることは容易でない。
【００２２】
しかし、上記発明によれば、上記した傾斜角の不一致により上記低位置部分と高位置部分とを部分的にしか重ね合わせることができないとしても、これら各部分は上記結合具によって強固に結合させることができる。よって、上記各壁材同士の結合強度が向上することから、前記洪水等による水辺保護構造の流動は、更に確実に抑制される。
【００２３】
請求項４の発明は、請求項２についての水辺保護構造の施工方法であって、
まず、互いに離反した両重ね合わせ部の間にパイプ材を挿入して、上記各壁材とパイプ材とによる組立体を形成し、
次に、上記組立体を地盤上の所望位置に搬送して設置し、次に、上記各パイプ材の内孔を通して上記杭を地盤に打ち込み、次に、上記各パイプ材を上記両重ね合わせ部の間から抜き取るようにしている。
【００２４】
このため、上記組立体は、上記各パイプ材を中心として上記各壁材を互いに接近させるよう回動させることにより全体的に平坦形状にできることから、この組立体を地盤上の所望位置へ搬送することや、この所望位置への設置作業などの取り扱いが容易にできる。
【００２５】
しかも、上記両重ね合わせ部の間に挿入されるパイプ材は杭よりも径寸法が大きいため、上記パイプ材への上記各重ね合わせ部の圧接力をより大きくできる。よって、上記組立体の取り扱い時に、上記組立体からパイプ材が不意に脱落することは抑制されることから、上記水辺保護構造の施工がより容易にできる。
【図面の簡単な説明】
【００２６】
【図１】全体平面図である。
【図２】図１のII−II線矢視図である。
【図３】図１中で、一部拡大した部分の斜視図である。
【図４】図３に相当する図で、水辺保護構造の施工方法を説明する図である。
【発明を実施するための形態】
【００２７】
本発明の水辺保護構造、およびその施工方法に関し、水辺を保護する水辺保護構造が洪水や大波に晒された場合でも、水辺保護構造を構成する壁材や杭の水による流動が抑制されるようにして、その後の水辺保護構造の復旧がより容易に、かつ、短時間でできるようにする、という目的を実現するため、本発明を実施するための形態は、次の如くである。
【００２８】
即ち、水辺保護構造は、水辺の地盤上に沿って屈曲しながら延びる長尺で可撓性の複数壁材と、上記各壁材の各部分を貫通し地盤に打ち込まれてこの地盤上に上記壁材を固定する杭とを備える。平面視で、上記各壁材により多数の空間域が区画形成され、これら各空間域にそれぞれ石群が充填可能とされる。上記各壁材のそれぞれ長手方向の各一端部が上記地盤の標高がより高い位置に上記杭により固定される。上記各壁材のそれぞれ他端部側が上記地盤の標高の低い側に向けて屈曲しながら延び、他の杭により固定される。
【実施例】
【００２９】
本発明をより詳細に説明するために、その実施例を添付の図に従って説明する。
【００３０】
図１〜３において、符号１は河川２の水辺であり、この河川２における矢印はその水３が流れる方向を示している。また、符号５は上記水辺１を保護するための水辺保護構造である。
【００３１】
具体的には、この水辺保護構造５によれば、流水や波打ちなどの水３の力により水辺１が侵食されることが抑制されて、この水辺１が保護される。また、この水辺１の侵食抑制により、この水辺１での植物の成長が維持され、また、この植物の下における小動物の生息も促進されて、水辺１における自然環境の保護、育生が達成される。なお、上記水辺１は、上記した河川２の他、海岸、湖岸、池の水辺が含まれる。
【００３２】
上記水辺保護構造５は、上記水辺１の地盤６上に沿って屈曲しながら延びる長尺で可撓性かつ弾性の複数（８本）壁材７〜１４と、上記各壁材７〜１４の各部分を貫通し地盤６に打ち込まれてこの地盤６上に上記各壁材７〜１４を固定する杭１６とを備えている。上記壁材７〜１４は樹脂製とされている。また、上記杭１６は粗（そだ）などの小枝や、鉄パイプ、鉄筋などの金属棒により形成される。
【００３３】
上記水辺１の平面視（図１）で、上記各壁材７〜１４により多数の空間域１７が区画形成されている。そして、これら各空間域１７にはそれぞれ石群１８が充填可能とされている。この石群１８は、栗石、砂利などである。
【００３４】
ここで、上記河川２の幅方向でこの河川２から遠い側の水辺保護構造５の端縁の位置を横軸Ａ１とし、この横軸Ａ１から上記河川２側の水辺保護構造５の端縁に至る等ピッチの各位置を、順次、横軸Ａ２〜Ａ５とする。また、上記河川２の上流側の水辺保護構造５の端縁の位置を縦軸Ｂ１とし、この縦軸Ｂ１から上記河川２の下流側の水辺保護構造５の端縁に至る等ピッチの各位置を、順次、縦軸Ｂ２〜Ｂ５とする。
【００３５】
以下、上記水辺保護構造５における目的の地点の表示は、この目的の地点が例えば、横軸Ａ２と縦軸Ｂ３との交差点近傍の場合には（Ａ２，Ｂ３）と表示する。
【００３６】
上記水辺保護構造５における上記各壁材７〜１４は上記各横軸Ａと縦軸Ｂとに沿って延び、かつ、上記各杭１６は上記横軸Ａと縦軸Ｂとの交差点近傍に配置されている。この結果、上記水辺保護構造５の各空間域１７は碁盤目状に区画形成されている。
【００３７】
上記水辺保護構造５における地盤６の標高は、上記横軸Ａ１〜Ａ５に関し、横軸Ａ１が最高位で、横軸Ａ５に向かって漸次低くなることとされている。また、上記縦軸Ｂ１〜Ｂ５に関し、縦軸Ｂ１が最高位で、縦軸Ｂ５に向かって漸次低くなることとされている。また、（Ａ１，Ｂ５）の地点は、（Ａ２，Ｂ１）の地点よりもより高位置とされている。
【００３８】
上記各壁材７〜１４は、それぞれその長手方向の各一端部２１が、上記地盤６の標高がより高い位置に杭１６により固定され、上記各壁材７〜１４のそれぞれ他端部側は、上記地盤６の標高の低い側に向けて延びている。
【００３９】
具体的には、壁材７と壁材８との各一端部２１は、（Ａ１，Ｂ１）の地点で一本の杭１６により地盤６上に固定されている。また、他の壁材９〜１１の各一端部２１は、それぞれ横軸Ａ１上でそれぞれ杭１６により上記地盤６上に固定されている。また、更に他の壁材１２〜１４の各一端部２１は、それぞれ縦軸Ｂ１上でそれぞれ杭１６により上記地盤６上に固定されている。
【００４０】
上記各壁材７〜１４は、それぞれ平行に延びる複数の横向き帯板材２４と縦向き帯板材２５とが互いに一体的に交差する格子構造とされている。上記各横向き帯板材２４と各縦向き帯板材２５とはそれぞれ等ピッチに配置されるが、各横向き帯板材２４のピッチよりも各縦向き帯板材２５のピッチが十分大きくされている。
【００４１】
上記壁材１１，１４の長手方向の中途部は、その各横向き帯板材２４を縫うように貫通する杭１６により地盤６上に固定されている。また、例えば、（Ａ３，Ｂ５）の地点では、水平方向で互いに近接して対向する両壁材９，１０の各部分同士が、一本の杭１６により互いに連結されると共に地盤６上に固定されている。
【００４２】
具体的には、上記両壁材９，１０の上記各部分におけるそれぞれ横向き帯板材２４，２４が互いに重ね合わされて上下で複数の重ね合わせ部２７，２７が形成されている。水辺１の平面視で、これら重ね合わせ部２７，２７同士が互いに離反するようこれら重ね合わせ部２７，２７の少なくとも一方が弾性的に屈曲させられ、これら重ね合わせ部２７，２７の間に上下に貫通する通路２８が形成されている。そして、この通路２８に挿入されると共に地盤６に打ち込まれた杭１６により、上記各壁材９，１０の上記各部分が互いに連結されると共に地盤６上に固定されている。
【００４３】
また、上記（Ａ１，Ｂ１）の地点など、互いに近接して対向する両壁材７，８の各部分同士も、上記した（Ａ３，Ｂ５）の地点の場合と同様にして、互いに連結されると共に地盤６上に固定されている。
【００４４】
例えば、上記した（Ａ３，Ｂ５）の地点では、上記地盤６上に沿って標高の高い側から低い側に延びてきた上記壁材１０における低位置部分１０ａと、この壁材１０における低位置部分１０ａの存在位置における地盤６上から更に標高の低い側に向かって延びる他の壁材９における高位置部分９ａとの各横向き帯板材２４，２４同士が、水平方向で互いに重ね合わされて結合具３０により互いに結合されている。この結合具３０はかしめられる金属製バンドでもよく、しばり付けられる針金やロープなどの索条体でもよい。
【００４５】
また、（Ａ１，Ｂ２）（Ａ２，Ｂ１）（Ａ５，Ｂ２）の各地点などにおいても、上記した（Ａ３，Ｂ５）の地点の場合と同様にして、各横向き帯板材２４，２４同士が結合具３０により互いに結合されている。
【００４６】
上記構成によれば、各壁材７〜１４のそれぞれ長手方向の各一端部２１を地盤６の標高がより高い位置に上記杭１６により固定し、上記各壁材７〜１４のそれぞれ他端部側を上記地盤６の標高の低い側に向けて屈曲させながら延ばして他の杭１６により固定している。
【００４７】
ここで、水辺１を保護する水辺保護構造５が洪水や大波に晒された場合、その水３の力の侵食作用により、水辺保護構造５を構成する壁材７〜１４、杭１６、および石群１８が水３と共に流動するおそれが生じる。そして、このような流動は、通常、標高の低い側の壁材７〜１４や杭１６から始まるものである。
【００４８】
このため、上記構成によれば、各壁材７〜１４の他端部側と、この他端部側を地盤６の標高の低い側に固定している他の杭１６から上記流動が始まる傾向となるが、その一方、上記各壁材７〜１４の各一端部２１と、これら各一端部２１を地盤６の標高がより高い位置に固定している杭１６とは流動が抑制されることから、上記各壁材７〜１４の他端部側は水３に流される吹き流し状態（図１中一点鎖線）とされたまま維持され、つまり、上記各壁材７〜１４を含む水辺保護構造５が全体的に流動することはより確実に抑制される。
【００４９】
よって、その後の水辺保護構造５の復旧は、上記のように流動が抑制された各壁材７〜１４の一端部２１側を基点とし、これら各壁材７〜１４の他端部を地盤６の標高の低い側に向けて順次屈曲させながら延ばして他の杭１６により地盤６上に固定すればよく、つまり、水辺保護構造５の復旧はより容易に、かつ、短時間ですることができる。
【００５０】
また、前記したように、各壁材７〜１４を、それぞれ平行に延びる複数の横向き帯板材２４と縦向き帯板材２５とが互いに交差する格子構造とし、水平方向で互いに近接して対向する両壁材９，１０の各部分におけるそれぞれ横向き帯板材２４，２４を互いに重ね合わせて上下で複数の重ね合わせ部２７，２７を形成し、平面視で、これら重ね合わせ部２７，２７同士が互いに離反するよう重ね合わせ部２７，２７を屈曲させ、互いに離反したこれら重ね合わせ部２７，２７の間に挿入した杭１６により、上記各壁材９，１０の上記各部分を地盤６上に固定するようにしている。
【００５１】
ここで、上記各壁材７〜１４が洪水等の水３から外力を受けるときには、上記各杭１６が貫通している上記各壁材７〜１４の各部分が上記各杭１６に圧接して上記外力に対抗し、これにより、上記各壁材７〜１４が上記杭１６を介し地盤６に支持される。
【００５２】
この場合、上記構成によれば、上記各杭１６が貫通している各壁材７〜１４の各部分は複数の横向き帯板材２４，２４を重ね合わせた重ね合わせ部２７であるため、上記外力に基づきこの重ね合わせ部２７に生じる応力は小さく抑制される。よって、地盤６上への各壁材７〜１４の固定強度が向上することから、前記洪水等による水辺保護構造５の流動は、より確実に抑制される。
【００５３】
また、前記したように、上記地盤６上に沿って標高の高い側から低い側に延びてきた上記壁材１０における低位置部分１０ａと、この壁材１０における低位置部分１０ａの存在位置における地盤６上から更に標高の低い側に延びる他の壁材９における高位置部分９ａとを互いに重ね合わせて結合具３０により結合している。
【００５４】
ここで、図２で示すように、地盤６上を標高の高い側から低い側に順次延びるよう配置される各壁材９，１０は、その側面視での傾斜角が不一致になりがちである。このため、この側面視で互いに隣り合う標高の高い側の壁材１０の低位置部分１０ａと標高の低い側の壁材９の高位置部分９ａとを全体的に重ね合わせることは容易でない。
【００５５】
しかし、上記構成によれば、上記した傾斜角の不一致により上記低位置部分１０ａと高位置部分９ａとを部分的にしか重ね合わせることができないとしても、これら各部分１０ａ，９ａは上記結合具３０によって強固に結合させることができる。よって、上記各壁材９，１０同士の結合強度が向上することから、前記洪水等による水辺保護構造５の流動は、更に確実に抑制される。
【００５６】
次に、水辺１への水辺保護構造５の施工方法の一例につき説明する。
【００５７】
まず、水辺１から離れた平坦で広い工場などの作業空間において、前記のように互いに離反した両重ね合わせ部２７，２７の間の通路２８にそれぞれ杭１６を挿入して、上記各壁材７〜１４と杭１６とによる組立体７〜１４，１６を形成する。この場合、上記各重ね合わせ部２７，２７は上記杭１６の外周面に弾性的に圧接する。
【００５８】
次に、上記組立体７〜１４，１６を全体的に折り畳んだ平坦形状にさせたまま、地盤６上の所望位置に搬送して設置する。次に、水辺１の平面視で、上記組立体を展開させながら上記各杭１６を地盤６に打ち込んで、上記各壁材７〜１４の各部分を地盤６上に固定する。これにより、上記施工が終了する。
【００５９】
図４を参照して、水辺１への水辺保護構造５の施工方法の他例につき説明する。
【００６０】
まず、水辺１から離れた平坦で広い工場などの作業空間において、前記のように互いに離反した両重ね合わせ部２７，２７の間の通路２８にそれぞれパイプ材３３を挿入して、上記各壁材７〜１４とパイプ材３３とによる組立体７〜１４，３３を形成する。この場合、上記各パイプ材３３の内、外径の各寸法は上記杭１６の外径寸法よりも大きいものとされる。また、上記各重ね合わせ部２７，２７は上記パイプ材３３の外周面に弾性的に圧接する。また、上記パイプ材３３はその上端に外向きフランジ３４が形成されている。このため、上記通路２８に挿入されたパイプ材３３が、上記通路２８の下方に不意に抜け落ちることは上記外向きフランジ３４によって抑制される。
【００６１】
なお、上記のようなパイプ材３３の不意の抜け落ちを抑制するため、このパイプ材３３を上記通路２８に挿入したとき、上記両重ね合わせ部２７，２７の間に嵌入される係止突起を上記スポット溶接３３の外周面に形成しておいてもよい。
【００６２】
次に、上記組立体７〜１４，３３を全体的に折り畳んだ平坦形状にさせたまま、地盤６上の所望位置に搬送して設置する。次に、水辺１の平面視で、上記組立体を展開させながら上記各パイプ材３３の内孔を通し上記各杭１６を地盤６に打ち込む。次に、上記各パイプ材３３を上記通路２８から次々と抜き取れば、残された各杭１６により上記各壁材７〜１４の各部分が地盤６上に固定される。これにより、上記施工が終了する。
【００６３】
上記施工方法によれば、上記組立体７〜１４，３３は、上記各パイプ材３３を中心として上記各壁材７〜１４を互いに接近させるよう回動させることにより全体的に平坦形状にできることから、この組立体を地盤６上の所望位置へ搬送することや、この所望位置への設置作業などの取り扱いが容易にできる。
【００６４】
しかも、上記両重ね合わせ部２７，２７の間に挿入されるパイプ材３３は杭１６よりも径寸法が大きいため、上記パイプ材３３への上記各重ね合わせ部２７の圧接力をより大きくできる。よって、上記組立体の取り扱い時に、上記組立体からパイプ材３３が不意に脱落することは抑制されることから、上記水辺保護構造５の施工がより容易にできる。
【００６５】
なお、以上は図示の例によるが、上記壁材７〜１４のうち、その一端部２１が、上記水辺保護構造５における地盤６の標高のより低いところに位置しているものや、長さがより短いものについては、その他端部側を標高の高さに係わらずに延ばしてもよい。
【００６６】
また、例えば、壁材７〜１１のそれぞれの各他端部側を、各縦軸Ｂ１〜Ｂ５に沿い上記河川２側に向かって互いに平行となるよう延ばし、これら壁材７〜１１の間に配置され、河川２側に向かってジグザグ状に延びる他の壁材を設けてもよく、つまり、各壁材７〜１４の延びる形状は、本発明の構成と目的の範囲内で、種々選択可能である。
【００６７】
また、水平方向で互いに近接して対向する複数の壁材の部分を杭１６により互いに連結しようとする場合に、上記壁材が３枚以上である場合には、これら各壁材の各横向き帯板材２４を３枚以上に重ね合わせて重ね合わせ部２７を形成すればよい。また、上記したように複数の壁材の部分を杭１６により互いに連結しようとする場合に、従来の技術の図３で示されるように、各壁材の横向き帯板材２４，２４同士を互いに噛み合わせ、この噛み合わせにより形成された通路２８に杭１６（もしくはパイプ材３３）を挿入させてもよい。
【符号の説明】
【００６８】
１    水辺
２    河川
３    水
５    水辺保護構造
６    地盤
７〜１４  壁材
９ａ  高位置部分
１０ａ  低位置部分
１６  杭
１７  空間域
１８  石群
２１  一端部
２４  横向き帯板材
２５  縦向き帯板材
２７  重ね合わせ部
２８  通路
３０  結合具
３３  パイプ材
Ａ    横軸
Ｂ    縦軸
【図１】
2011038269.tif 000003
【図２】
2011038269.tif 000004
【図３】
2011038269.tif 000005
【図４】
2011038269.tif 000006